(57)【要約】【課題】ポンプの取り付けと取り外しとが容易なクーラント供給装置およびこれを備える工作機械を提供する。【解決手段】クーラントＣを貯留するクーラントタンク２１０と、クーラントＣを圧送するポンプ２２０と、クーラントタンク２１０の上部開口部分２１１に架設してポンプ２２０を装着自在に保持するポンプ保持体と、を備え、ポンプ保持体が、互いに相対応する切り欠き部を有する第１保持部材および第２保持部材と、を有し、第１保持部材および第２保持部材は、クーラントタンク２１０に対して着脱自在に装着され、両保持部材のクーラントタンク２１０への取り付けによって、両保持部材が一体的に組み合わされて、両切り欠き部により、ポンプ２２０の吸込管を挿脱自在とするポンプ挿入孔が形成され、第１保持部材または第２保持部材のクーラントタンク２１０からの取り外しによって、一方の切り欠き部によるポンプ２２０を取り外す開口が形成される。【選択図】図３
2020175491.tif 000002
【特許請求の範囲】
【請求項１】
工作機械内のワーク加工領域にクーラントを供給するクーラント供給装置であって、
前記クーラントを貯留して上部開口部分を有するクーラントタンクと、
前記クーラントを圧送するポンプと、
前記クーラントタンクの上部開口部分に架設して前記ポンプを装着自在に保持するポンプ保持体と、を備え、
前記ポンプ保持体が、互いに相対応する切り欠き部を有する第１保持部材および第２保持部材と、を有し、
前記第１保持部材および前記第２保持部材は、前記クーラントタンクに対して着脱自在に装着され、両保持部材の前記クーラントタンクへの取り付けによって、両保持部材が一体的に組み合わされて、前記両切り欠き部により、前記ポンプの吸込管を挿脱自在とするポンプ挿入孔が形成され、前記第１保持部材または前記第２保持部材の前記クーラントタンクからの取り外しによって、一方の前記切り欠き部による前記ポンプを取り外す開口が形成される、クーラント供給装置。
【請求項２】
前記ポンプ保持体が、前記クーラントタンクの上部開口部分を閉塞している、請求項１に記載のクーラント供給装置。
【請求項３】
前記ポンプ保持体が、前記クーラントタンクと当接するタンク当接面と、該タンク当接面より上方に前記ポンプと当接するポンプ装着面と、を有し、
前記工作機械の下方に形成されたポンプ収納領域に配置されている、請求項１または請求項２に記載のクーラント供給装置。
【請求項４】
請求項１乃至請求項３のいずれか１項に記載のクーラント供給装置を備えている、工作機械。
【請求項５】
前記クーラント供給装置の前記ポンプを収容するポンプ収納領域をカバーの下方に備えている、請求項４に記載の工作機械。
【発明の詳細な説明】
【技術分野】
【０００１】
本発明は、クーラント供給装置および工作機械に関するものである。
【背景技術】
【０００２】
従来、工作機械にクーラントを供給するクーラント供給装置として、クーラントタンクの上部開口部分の一部を覆う取付板を支持部材によりスライド可能に支持して、クーラントタンク内を清掃可能としたものが知られている（例えば、特許文献１）。
【先行技術文献】
【特許文献】
【０００３】
【特許文献１】特許第６２４６４１１号公報
【発明の概要】
【発明が解決しようとする課題】
【０００４】
上記のクーラント供給装置では、ポンプを取り外してクーラントタンクをメンテナンスする場合、取付板をスライドさせてポンプを取り外す必要があり、ポンプの取り付けと取り外しを容易に行うことができない場合があった。
【０００５】
そこで、本発明は、前述したような従来技術の問題を解決するものであって、すなわち、本発明の目的は、ポンプの取り付けと取り外しとが容易なクーラント供給装置およびこれを備える工作機械を提供することである。
【課題を解決するための手段】
【０００６】
本発明は、第１に、工作機械内のワーク加工領域にクーラントを供給するクーラント供給装置であって、前記クーラントを貯留して上部開口部分を有するクーラントタンクと、前記クーラントを圧送するポンプと、前記クーラントタンクの上部開口部分に架設して前記ポンプを装着自在に保持するポンプ保持体と、を備え、前記ポンプ保持体が、互いに相対応する切り欠き部を有する第１保持部材および第２保持部材と、を有し、前記第１保持部材および前記第２保持部材は、前記クーラントタンクに対して着脱自在に装着され、両保持部材の前記クーラントタンクへの取り付けによって、両保持部材が一体的に組み合わされて、前記両切り欠き部により、前記ポンプの吸込管を挿脱自在とするポンプ挿入孔が形成され、前記第１保持部材または前記第２保持部材の前記クーラントタンクからの取り外しによって、一方の前記切り欠き部による前記ポンプを取り外す開口が形成されることを特徴とする。
【０００７】
第２に、前記ポンプ保持体が、前記クーラントタンクの上部開口部分を閉塞していることを特徴とする。
【０００８】
第３に、前記ポンプ保持体が、前記クーラントタンクと当接するタンク当接面と、該タンク当接面より上方に前記ポンプと当接するポンプ装着面と、を有し、前記工作機械の下方に形成されたポンプ収納領域に配置されていることを特徴とする。
【０００９】
第４に、上記いずれかのクーラント供給装置を備えている、工作機械であることを特徴とする。
【００１０】
第５に、前記クーラント供給装置の前記ポンプを収容するポンプ収納領域をカバーの下方に備えていることを特徴とする。
【発明の効果】
【００１１】
本発明は、以下の効果を得ることができる。
（１）第２保持部材または第１保持部材のクーラントタンクからの取り外しによって、ポンプを取り外す開口が形成されるため、ポンプが開口を介して移動させることが可能となり、上方にスペースの不足した狭い作業領域であってもポンプをクーラント供給装置に対して容易に取り付けることができると共に取り外すことができる。
【００１２】
（２）ポンプ保持体によってクーラントタンクの上部開口部分が閉塞されるため、クーラントタンク内への異物混入を防ぐことができる。
【００１３】
（３）クーラントタンクとポンプ保持体とが当接するタンク当接面の上方にポンプ装着面が設けられるため、ポンプの吸込管の長さが長い、比較的大型のポンプをクーラント供給装置に装着することができる。
【００１４】
（４）第２保持部材または第１保持部材のクーラントタンクからの取り外しによって、ポンプを取り外す開口が形成されるため、ポンプが開口を介して移動可能となり、上方にスペースの不足した狭い作業領域であってもポンプをクーラント供給装置に対して容易に取り付けることができると共に取り外すことができる工作機械の提供が可能となる。
【００１５】
（５）第２保持部材または第１保持部材のクーラントタンクからの取り外しによって、ポンプを取り外す開口が形成されるため、ポンプが開口を介して移動可能となり、工作機械側との干渉を回避して、比較的大型のポンプをクーラント供給装置に対して容易に取り付けることができるとともに取り外すことができる工作機械の提供が可能となる。
【図面の簡単な説明】
【００１６】
【図１】本発明の第１実施例である工作機械を示す斜視図。
【図２】図１の工作機械の要部背面図。
【図３】ポンプを取り外した状態における図２のＩＩＩから見たクーラント供給装置の平面図。
【図４】図２のＩＩＩから見たクーラント供給装置の平面図。
【図５】第２ポンプ保持体の第２保持部材を取り外した状態における図２のＩＩＩから見たクーラント供給装置の平面図。
【図６】第２ポンプ保持体の第２保持部材を取り外した状態における図４のＶＩ−ＶＩ線から見た工作機械の背面図。
【図７】第２ポンプを取り外した状態における図２のＩＩＩから見たクーラント供給装置の平面図。
【図８】第１ポンプ保持体の第２保持部材を取り外した状態における図４のＶＩ−ＶＩ線から見た工作機械の背面図。
【図９】第１ポンプを取り外した状態における図２のＩＩＩから見たクーラント供給装置の平面図。
【発明を実施するための形態】
【００１７】
本発明は、工作機械内のワーク加工領域にクーラントを供給するクーラント供給装置であって、前記クーラントを貯留して上部開口部分を有するクーラントタンクと、前記クーラントを圧送するポンプと、前記クーラントタンクの上部開口部分に架設して前記ポンプを装着自在に保持するポンプ保持体と、を備え、前記ポンプ保持体が、互いに相対応する切り欠き部を有する第１保持部材および第２保持部材と、を有し、前記第１保持部材および前記第２保持部材は、前記クーラントタンクに対して着脱自在に装着され、両保持部材の前記クーラントタンクへの取り付けによって、両保持部材が一体的に組み合わされて、前記両切り欠き部により、前記ポンプの吸込管を挿脱自在とするポンプ挿入孔が形成され、前記第１保持部材または前記第２保持部材の前記クーラントタンクからの取り外しによって、一方の前記切り欠き部による前記ポンプを取り外す開口が形成されることにより、ポンプの取り付けと取り外しとが容易なものであれば、その具体的な実施態様は、如何なるものであっても構わない。
【実施例１】
【００１８】
以下、図１乃至図９に基づいて、本発明の第１実施例である工作機械１００およびクーラント供給装置２００について説明する。
【００１９】
まず、図１および図２に基づいて、工作機械１００について説明する。
図１は、本発明の第１実施例である工作機械を示す斜視図であり、図２は、図１の工作機械の要部背面図である。
【００２０】
工作機械１００は、図１に示すように、丸棒状のワークＷを把持して回転する主軸１１０と、この主軸１１０に対向配置して工具１２１を有するタレット１２０と、これらを制御する制御装置とを少なくとも備えている。
主軸１１０やタレット１２０等は工作機械１００のカバー１３０内に収容されている。
工作機械１００は主軸１１０に把持されたワークＷをワーク加工領域Ａ１内において、工具１２１によって所定の形状に加工することができる。
カバー１３０の右側面の下方にはポンプ収納領域Ａ２が形成されており、このポンプ収納領域Ａ２の下方にワークＷの加工時にワーク加工領域Ａ１にクーラントを供給するクーラント供給装置２００を備えている。
【００２１】
ポンプ収納領域Ａ２において、図２に示すように、カバー１３０は工作機械１００の外側（右側）から工作機械１００の内側（左側）に向かって下降するように傾斜して設けられている。
ポンプ収納領域Ａ２は、カバー１３０の傾斜に応じて工作機械１００の外側から内側に向かって順次高さが低くなるように形成されている。
【００２２】
次に、図２および図３に基づいて、クーラント供給装置２００について詳説する。
図３は、図２のＩＩＩから見たクーラント供給装置の平面図であり、説明のためにポンプを省略している。
【００２３】
クーラント供給装置２００は、クーラントＣを貯留するクーラントタンク２１０と、このクーラントタンク２１０からクーラントＣを汲み上げて圧送するポンプ２２０と、このポンプ２２０を装着自在に保持するポンプ保持体２３０とを備えている。
【００２４】
クーラントタンク２１０は、図３に示すように、鉛直上方に向かって開口された矩形状の上部開口部分２１１と、この上部開口部分２１１の前後端に形成されて左右方向に延びる縁部２１２とを有している。
クーラントタンク２１０は、さらに、ポンプ保持体２３０を着脱自在に取り付ける基部となるスペーサー２１３を有している。
このスペーサー２１３は、図３などに示すようにＵ字状の部材であり、固定ボルトＦＢによってクーラントタンク２１０の縁部２１２に固定されている。
【００２５】
ポンプ２２０は、左側に配置された第１ポンプ２２１と、右側に配置された第２ポンプ２２２とからなる。
そして、このポンプ２２０は、ポンプ保持体２３０と当接するフランジ部２２１ａ、２２２ａと、クーラントタンク２１０内に挿入される円筒状の吸込管２２１ｂ、２２２ｂとを有している。
また、ポンプ２２０は、止めネジＳにより、ポンプ保持体２３０に着脱自在に固定されている。
【００２６】
ポンプ保持体２３０は、クーラントタンク２１０の上部開口部分２１１に架設され、図３に示すように、上部開口部分２１１のほぼ全体を覆うように、上部開口部分２１１を閉塞している。
このポンプ保持体２３０は、第１ポンプ２２１を保持する奥側（左側）の第１ポンプ保持体２３０Ｆと、第２ポンプ２２２を保持する手前側（右側）の第２ポンプ保持体２３０Ｓとから構成されている。
【００２７】
第１ポンプ保持体２３０Ｆは、奥側の第１保持部材２３１Ｆと、手前側の第２保持部材２３２Ｆの２部材から構成されている。
【００２８】
第１保持部材２３１Ｆは、平面視で矩形状の部材であり、クーラントタンク２１０のスペーサー２１３と当接するベース２３１Ｆ１と、このベース２３１Ｆ１から連接して立ち上がりポンプ２２０を載置するポンプ載置部２３１Ｆ２とを有している。
ベース２３１Ｆ１は、図３に示すように、第１保持部材２３１Ｆの奥側の両隅にそれぞれ設けられた平板状の領域であり、各々の平面視中央付近にはボルト孔が形成されている。
ポンプ載置部２３１Ｆ２は、図２に示すように、ポンプ２２０の設置高さをかさ上げしており、その天面は平坦面となっている。
また、図３に示すように、ポンプ載置部２３１Ｆ２の手前側には、手前側に向けて開口する半円状の切り欠き部２３１Ｆ３が形成されている。
このように形成された第１保持部材２３１Ｆは、ボルトＢをベース２３１Ｆ１のボルト孔およびスペーサー２１３に挿通することでクーラントタンク２１０に着脱自在に固定される。
【００２９】
第２保持部材２３２Ｆも、平面視で矩形状の部材であり、クーラントタンク２１０のスペーサー２１３と当接するベース２３２Ｆ１と、このベース２３２Ｆ１から連接して立ち上がりポンプ２２０を載置するポンプ載置部２３２Ｆ２とを有している。
ベース２３２Ｆ１は、図３に示すように、第１保持部材２３１Ｆの手前側の後隅に設けられた平板状の領域であり、平面視中央付近にはボルト孔が形成されている。
ポンプ載置部２３２Ｆ２は、図２に示すように、ポンプ２２０の設置高さをかさ上げしており、その天面は平坦面となっている。
また、図３に示すように、ポンプ載置部２３２Ｆ２の奧側には、奥側に向けて開口する半円状の切り欠き部２３２Ｆ３が形成されている。
このように形成された第２保持部材２３２Ｆは、ボルトＢをベース２３２Ｆ１のボルト孔およびスペーサー２１３に挿通することでクーラントタンク２１０に着脱自在に固定される。
【００３０】
第１保持部材２３１Ｆの切り欠き部２３１Ｆ３と、第２保持部材２３２Ｆの切り欠き部２３２Ｆ３とは、互いに相対応している。
したがって、第１保持部材２３１Ｆと第２保持部材２３２Ｆが一体的に組み合わされてクーラントタンク２１０に取り付けられることによって、この２つの切り欠き部２３１Ｆ３、２３２Ｆ３により、第１ポンプ保持体２３０Ｆには、ポンプ挿通孔２３３Ｆが形成される。
ポンプ挿通孔２３３Ｆは、直径φＦが第１ポンプ２２１の吸込管２２１ｂの直径φ１より大きくなっており、第１ポンプ２２１の吸込管２２１ｂが挿脱自在である。
【００３１】
また、このポンプ挿通孔２３３Ｆの周囲には、第１ポンプ２２１のフランジ部２２１ａと当接するポンプ装着面ＳＰが、第１保持部材２３１Ｆおよび第２保持部材２３２Ｆにより形成されている。
このポンプ装着面ＳＰは、図２に示すように、スペーサー２１３と当接するベース２３２Ｆ１のタンク当接面ＳＴよりも高い位置に形成されている。
【００３２】
第２ポンプ保持体２３０Ｓも、奥側の第１保持部材２３１Ｓと、手前側の第２保持部材２３２Ｓの２部材から構成されている。
【００３３】
第１保持部材２３１Ｓは、平面視において凹形状部を有した、すなわち、手前側に向けて切り欠いた保持部材であり、クーラントタンク２１０のスペーサー２１３と当接するベース２３１Ｓ１と、このベース２３１Ｓ１から連接して立ち上がりポンプ２２０を載置するポンプ載置部２３１Ｓ２とを有している。
ベース２３１Ｓ１は、図３に示すように、第１保持部材２３１Ｓの前側の両隅および後側の右隅にそれぞれ設けられた平板状の領域であり、各々の平面視中央付近にはボルト孔が形成されている。
ポンプ載置部２３１Ｓ２は、図２に示すように、ポンプ２２０の設置高さをかさ上げしており、その天面は平坦面となっている。
また、ポンプ載置部２３１Ｓ２の凹形状部は、奥側に位置する半円状の切り欠き部２３１Ｓ３と、手前側に位置する矩形状の切り欠き部とから形成されている。
このように形成された第１保持部材２３１Ｓは、ボルトＢをベース２３１Ｓ１のボルト孔およびスペーサー２１３に挿通することでクーラントタンク２１０に着脱自在に固定される。
【００３４】
第２保持部材２３２Ｓは、平面視において凸形状部を有した、すなわち、奧側に向けて突出した保持部材であり、クーラントタンク２１０のスペーサー２１３と当接するベース２３２Ｓ１と、このベース２３２Ｓ１から連接して立ち上がりポンプ２２０を載置するポンプ載置部２３２Ｓ２とを有している。
ベース２３２Ｓ１は、図３に示すように、第２保持部材２３２Ｓの手前側に設けられた平板状の領域であり、前後の隅にはそれぞれボルト孔が形成されている。
ポンプ載置部２３２Ｓ２は、図２に示すように、ポンプ２２０の設置高さをかさ上げしており、その天面は平坦面となっている。
また、図３に示すように、ポンプ載置部２３２Ｓ２の奧側には、この奥側に向けて開口する半円状の切り欠き部２３２Ｓ３が形成されている。
このように形成された第２保持部材２３２Ｓは、ボルトＢをベース２３２Ｓ１のボルト孔およびスペーサー２１３に挿通することでクーラントタンク２１０に着脱自在に固定される。
【００３５】
第１保持部材２３１Ｓの切り欠き部２３１Ｓ３と、第２保持部材２３２Ｓの切り欠き部２３２Ｓ３とは、互いに相対応している。
したがって、第２ポンプ保持体２３０Ｓでは、第１保持部材２３１Ｓと第２保持部材２３２Ｓがクーラントタンク２１０に一体的に組み合わされて取り付けられ、第１保持部材２３１Ｓの凹形状部に第２保持部材２３２Ｓの凸形状部が嵌合されることで、２つの切り欠き部２３１Ｓ３、２３２Ｓ３により、ポンプ挿通孔２３３Ｓが形成される。
ポンプ挿通孔２３３Ｓの直径φＳは、第２ポンプ２２２の吸込管２２２ｂの直径φ２より大きくなっており、第２ポンプ２２２の吸込管２２２ｂが挿脱自在である。
【００３６】
また、このポンプ挿通孔２３３Ｓの周囲には、第２ポンプ２２２のフランジ部２２２ａと当接するポンプ装着面ＳＰが、第１保持部材２３１Ｓおよび第２保持部材２３２Ｓにより形成されている。
このポンプ装着面ＳＰは、第１ポンプ保持体２３０Ｆのポンプ装着面ＳＰと同様に、図２に示すように、スペーサー２１３と当接するベース２３２Ｓ１のタンク当接面ＳＴよりも高い位置に形成されている。
【００３７】
次に、図４乃至図９に基づいて、ポンプ２２０の取り外しについて説明する。
【００３８】
まず、手前側の第２ポンプ２２２の取り外しについて、図４乃至図６に基づいて説明する。
図４は、図２のＩＩＩから見たクーラント供給装置２００の平面図であり、図５は、第２ポンプ保持体２３０Ｓの第２保持部材２３２Ｓを取り外した状態における図２のＩＩＩから見たクーラント供給装置２００の平面図であり、図６は、第２ポンプ保持体２３０Ｓの第２保持部材２３２Ｓを取り外した状態における図４のＶＩ−ＶＩ線から見た工作機械１００の背面図である。
【００３９】
はじめに、所定のボルトＢおよび止めネジＳを取り外すことにより、第２保持部材２３２Ｓがスペーサー２１３から取り外し可能となり、第２保持部材２３２Ｓを取り外し、図５に示す状態となる。
【００４０】
図５の状態では、第２ポンプ保持体２３０Ｓのポンプ挿通孔２３３Ｓ（図３参照）が、切り欠き部２３１Ｓ３により半円状になり、手前側が開放されて第２ポンプ２２２を取り外す開口２３４Ｓ（図７参照）が形成される。
したがって、第２ポンプ２２２が、開口２３４Ｓを介して手前側に移動自在となる。
そこで、第２ポンプ２２２を手前側に移動させると、図６に示すように、第２ポンプ２２２を手前側に傾けることができる。
この状態から、第２ポンプ２２２をクーラントタンク２１０から引き抜くことで、第２ポンプ２２２をクーラント供給装置２００から容易に取り外すことができる。
【００４１】
続いて、奥側の第１ポンプ２２１の取り外しについて、図７乃至図９に基づいて説明する。
図７は、第２ポンプ２２２を取り外した状態における図２のＩＩＩから見たクーラント供給装置２００の平面図であり、図８は、第１ポンプ保持体２３０Ｆの第２保持部材２３２Ｆを取り外した状態における図４のＶＩ−ＶＩ線から見た工作機械１００の背面図であり、図９は、第１ポンプ２２１を取り外した状態における図２のＩＩＩから見たクーラント供給装置２００の平面図である。
【００４２】
第２ポンプ２２２をクーラント供給装置２００から取り外すと図７のような状態となり、この状態から所定のボルトＢを取り外すことにより、第１保持部材２３１Ｓが、クーラントタンク２１０から取り外し可能となるため、第１保持部材２３１Ｓをクーラントタンク２１０から取り外す。
【００４３】
次に、所定のボルトＢおよび止めネジＳを取り外すことにより、第２保持部材２３２Ｆが、スペーサー２１３から取り外し可能となり、第２保持部材２３２Ｆを取り外し、図８に示す状態となる。
【００４４】
図８の状態では、第１ポンプ保持体２３０Ｆのポンプ挿通孔２３３Ｆ（図３参照）が、切り欠き部２３１Ｆ３により半円状になり、手前側が開放されて第１ポンプ２２１を取り外す開口２３４Ｆ（図９参照）が形成される。
したがって、第１ポンプ２２１が、開口２３４Ｆを介して手前側に移動自在となる。
そこで、第１ポンプ２２１を手前側に移動させると、図８に示すように、第１ポンプ２２１を手前側に傾けることができる。
この状態から、第１ポンプ２２１をクーラントタンク２１０から引き抜くことで、第１ポンプ２２１をクーラント供給装置２００から容易に取り外すことができる。
第１ポンプ２２１をクーラント供給装置２００から取り外すと、図９に示す状態となる。
【００４５】
以上、ポンプ２２０をクーラント供給装置２００から取り外す手順を説明したが、ポンプ２２０をクーラント供給装置２００に装着する際、すなわち取り付ける際は、上記と逆の手順で行えばよい。
【００４６】
上述した本発明の第１実施例である工作機械１００によれば、ポンプ保持体２３０（第１ポンプ保持体２３０Ｆ、第２ポンプ保持体２３０Ｓ）における第２保持部材２３２Ｆ、２３２Ｓをクーラントタンク２１０から取り外すことでポンプ２２０（第１ポンプ２２１、第２ポンプ２２２）を取り外す開口２３４Ｆ、２３４Ｓが形成されるので、開口２３４Ｆ、２３４Ｓを介してポンプ２２０を移動させることが可能となり、ポンプ２２０をクーラント供給装置２００から取り外せるため、上方にスペースの不足した狭いポンプ収納領域Ａ２であっても、クーラントタンク２１０の清掃やポンプ２２０を交換する等のメンテナンスの際にポンプ２２０をクーラント供給装置２００に対して容易に取り付けることができると共に取り外すことができる。
【００４７】
なお、特に図８に示すように、吸込管の高さＨが、ポンプとポンプ収納領域Ａ２のカバー１３０との距離ｈより大きくなるような比較的大型で、且つ吸込管の長さが長いポンプを使用する場合、第１ポンプ保持体２３０Ｆの第２保持部材２３２Ｆをクーラントタンク２１０から取り外すことで形成される開口２３４Ｆを介して第１ポンプ２２１を手前側に移動させることが可能となり、第１ポンプ２２１を手前側に傾かせることで、第１ポンプ２２１をクーラントタンク２１０から引き抜き、クーラント供給装置２００から容易に取り外すことが可能となる。
この場合、第１ポンプ２２１を鉛直上方に引き抜くことなく、第１ポンプ２２１をクーラント供給装置２００から容易に取り外すことができ、第１ポンプ２２１の着脱に際して第１ポンプ２２１とカバー１３０との干渉を回避することができる。
【００４８】
以上、本発明の第１実施例について説明したが、本発明は、上記の第１実施例に限定されるものではない。
【００４９】
例えば、第１実施例では、第１ポンプ２２１と第２ポンプ２２２からなるポンプ２基を備えたクーラント供給装置２００について説明したが、ポンプの数は２基に限定されるものではなく、１基であってもよいし、３基以上であってもよい。
【００５０】
例えば、第１実施例では、第１ポンプ保持体と第２ポンプ保持体とは異なる形状であったが、これらは同じ形状であってもよい。
【００５１】
例えば、第１実施例において、上部開口部分２１１が一部露出しているが、クーラントタンク２１０内への異物混入を防ぐために、ポンプ保持体２３０で上部開口部分２１１の全体を閉塞してもよい。
【００５２】
例えば、第１実施例において、ポンプ保持体２３０はスペーサー２１３を介してクーラントタンク２１０に取り付けられていたが、スペーサー２１３を介さず、ボルトＢによってポンプ保持体２３０を縁部２１２に着脱自在に取り付けてもよい。
【符号の説明】
【００５３】
１００                  ・・・  工作機械
１１０                  ・・・  主軸
１２０                  ・・・  タレット
１３０                  ・・・  カバー
２００                  ・・・  クーラント供給装置
２１０                  ・・・  クーラントタンク
２１１                  ・・・  上部開口部分
２１２                  ・・・  縁部
２１３                  ・・・  スペーサー
２２０                  ・・・  ポンプ
２２１                  ・・・  第１ポンプ（ポンプ）
２２１ａ                ・・・  フランジ部
２２１ｂ                ・・・  吸込管
２２２                  ・・・  第２ポンプ（ポンプ）
２２２ａ                ・・・  フランジ部
２２２ｂ                ・・・  吸込管
２３０                  ・・・  ポンプ保持体
２３０Ｆ                ・・・  第１ポンプ保持体（ポンプ保持体）
２３０Ｓ                ・・・  第２ポンプ保持体（ポンプ保持体）
２３１Ｆ、  ２３１Ｓ    ・・・  第１保持部材
２３１Ｆ１、２３１Ｓ１  ・・・  ベース
２３１Ｆ２、２３１Ｓ２  ・・・  ポンプ載置部
２３１Ｆ３、２３１Ｓ３  ・・・  切り欠き部
２３２Ｆ、  ２３２Ｓ    ・・・  第２保持部材
２３２Ｆ１、２３２Ｓ１  ・・・  ベース
２３２Ｆ２、２３２Ｓ２  ・・・  ポンプ載置部
２３２Ｆ３、２３２Ｓ３  ・・・  切り欠き部
２３３Ｆ、  ２３３Ｓ    ・・・  ポンプ挿通孔
２３４Ｆ、  ２３４Ｓ    ・・・  開口
Ｗ                    ・・・  ワーク
Ａ１                  ・・・  ワーク加工領域
Ａ２                  ・・・  ポンプ収納領域
Ｃ                    ・・・  クーラント
Ｂ                    ・・・  ボルト
ＦＢ                  ・・・  固定ボルト
Ｓ                    ・・・  止めネジ
ＳＴ                  ・・・  タンク当接面
ＳＰ                  ・・・  ポンプ装着面  
φＦ                  ・・・  第１ポンプ保持体のポンプ挿通孔の直径
φＳ                  ・・・  第２ポンプ保持体のポンプ挿通孔の直径
φ１                  ・・・  第１ポンプの吸込管の直径
φ２                  ・・・  第２ポンプの吸込管の直径
Ｈ                    ・・・  吸込管の高さ
ｈ                    ・・・  ポンプとポンプ保守凹部領域の天井面との距離
【図１】
2020175491.tif 000003
【図２】
2020175491.tif 000004
【図３】
2020175491.tif 000005
【図４】
2020175491.tif 000006
【図５】
2020175491.tif 000007
【図６】
2020175491.tif 000008
【図７】
2020175491.tif 000009
【図８】
2020175491.tif 000010
【図９】
2020175491.tif 000011